(57)【要約】【課題】電源回路を構成する電源用コンデンサの容量低下を通常の動作中でも検出可能な通信装置を提供する。【解決手段】電源ＯＦＦ検出回路３１によるＡＣ一次側電源１１１のＯＦＦ検出結果およびＡＣ一次側電源１１１のＯＦＦ後のバックアップ動作中におけるバックアップ経過時間の測定結果を、電源ＯＦＦ情報およびバックアップ時間情報として、対向して接続されている対向側通信装置に対して通知する仕組みを備え、該対向側通信装置は、相手側の通信装置１から受信した前記バックアップ時間情報が示すバックアップ時間があらかじめ定めた時間閾値未満の短い値になっていた場合、または、前記電源ＯＦＦ情報を受信した後前記バックアップ時間情報を受信できなかった場合には、相手側の通信装置１の電源用コンデンサ(ＡＣ一次側平滑用コンデンサ２１またはＤＣ二次側バックアップ用コンデンサ２２)の容量が異常に低下しているものと認識する仕組みを備える。【選択図】        図１
2019071000.tif 000002
【特許請求の範囲】
【請求項１】
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換する第１のＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路を備える
通信装置において、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出回路と、
前記第１のＤＣ／ＤＣ変換回路から出力される前記第１のＤＣ電源の電圧があらかじめ定めたＤＣ電圧閾値以下に低下したことを示すＤＣ電源電圧低下情報を出力する電圧検出回路と
をさらに備え、
かつ、前記制御回路は、
前記電源ＯＦＦ検出回路から出力される前記電源ＯＦＦ情報を受け取った際に、該電源ＯＦＦ情報を、対向して接続されている対向側通信装置に対して送信するとともに、さらに、該電源ＯＦＦ情報の出力時点から、前記ＤＣ電源電圧低下情報が前記電圧検出回路から出力される時点までの経過時間を測定して、前記ＡＣ一次側平滑用コンデンサおよび前記ＤＣ二次側バックアップ用コンデンサによるバックアップ動作を行っている経過時間を示すバックアップ時間情報として生成して、生成した該バックアップ時間情報を、前記対向側通信装置に対して送信する仕組み
を備えていることを特徴とする通信装置。
【請求項２】
前記制御回路は、
対向して接続されている対向側通信装置が送信した前記電源ＯＦＦ情報を受け取った時点からあらかじめ定めた時間閾値を経過するまでの間に、当該対向側通信装置から前記バックアップ時間情報を受け取った場合、該バックアップ時間情報に含まれている前記経過時間があらかじめ定めた時間閾値未満の値であった場合には、前記電源ＯＦＦ情報を送信してきた前記対向側通信装置の前記ＡＣ一次側平滑用コンデンサの容量が異常に低下しているものと判定し、
また、前記対向側通信装置が送信した前記電源ＯＦＦ情報を受け取った時点から前記時間閾値を経過するまでの間に、当該対向側通信装置から前記バックアップ時間情報を受け取らなかった場合には、前記電源ＯＦＦ情報を送信してきた前記対向側通信装置の前記ＤＣ二次側バックアップ用コンデンサの容量が異常に低下しているものと判定する仕組み
を備えていることを特徴とする請求項１に記載の通信装置。
【請求項３】
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換するＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路を備える
通信装置において、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出回路と、
前記ＤＣ／ＤＣ変換回路から出力される前記第１のＤＣ電源の電圧があらかじめ定めたＤＣ電圧閾値以下に低下したことを示すＤＣ電源電圧低下情報を出力する電圧検出回路と、
電力供給がない状態においても記憶した情報を継続して保存することができる不揮発性メモリと
をさらに備え、
かつ、前記制御回路は、
前記電源ＯＦＦ検出回路から出力される前記電源ＯＦＦ情報を受け取った際に、該電源ＯＦＦ情報の出力時点から、前記ＤＣ電源電圧低下情報が前記電圧検出回路から出力される時点までの経過時間を測定して、第１の経過時間として前記不揮発性メモリに保存し、さらに、前記ＤＣ電源電圧低下情報が前記電圧検出回路から出力された時点から、前記第２のＤＣ電源がハイレベルからロウレベルに変化する時点までの経過時間を測定して、第２の経過時間として前記不揮発性メモリに保存する仕組み
をさらに備えるとともに、
前記ＡＣ一次側電源がＯＮ状態に復旧した際に、
前記不揮発性メモリに保存している前記第１の経過時間および前記第２の経過時間を読み出して、それぞれに対応してあらかじめ定めた第１の時間閾値および第２の時間閾値と比較し、
前記第１の経過時間が、前記第１の時間閾値未満の時間であった場合には、前記ＡＣ一次側平滑用コンデンサの容量が異常に低下したものと判定し、また、前記第２の経過時間が、前記第２の時間閾値未満の時間であった場合には、前記ＤＣ二次側バックアップ用コンデンサの容量が異常に低下したものと判定する仕組み
をさらに備えていることを特徴とする通信装置。
【請求項４】
前記制御回路は、
前記ＡＣ一次側電源のＯＦＦ、ＯＮ毎に、前記第１の経過時間および前記第２の経過時間を測定して、前記不揮発性メモリに保存し、前記ＡＣ一次側電源のＯＦＦ、ＯＮ毎に前記不揮発性メモリに保存した前記第１の経過時間および前記第２の経過時間の時間的な変化を検証することにより、前記ＡＣ一次側平滑用コンデンサの容量の低下、および、前記ＤＣ二次側バックアップ用コンデンサの容量の低下を予測する仕組み
を備えていることを特徴とする請求項３に記載の通信装置。
【請求項５】
装置内の内部温度を測定する温度センサ
をさらに備え、
前記制御回路は、
前記ＡＣ一次側電源のＯＦＦ、ＯＮ毎に、前記温度センサにより前記内部温度をさらに測定して、前記不揮発性メモリに保存し、前記ＡＣ一次側電源のＯＦＦ、ＯＮ毎に前記不揮発性メモリに保存した前記内部温度の時間的な変化を、前記第１の経過時間、前記第２の経過時間の時間的な変化に含めて検証することにより、前記ＡＣ一次側平滑用コンデンサの容量の低下、および、前記ＤＣ二次側バックアップ用コンデンサの容量の低下を予測する仕組み
を備えていることを特徴とする請求項４に記載の通信装置。
【請求項６】
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換するＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路と
を有する通信装置において、前記ＡＣ一次側平滑用コンデンサおよび前記ＤＣ二次側バックアップ用コンデンサの容量低下の異常を検出する通信装置電源用コンデンサ異常検出方法であって、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出ステップと、
前記ＤＣ／ＤＣ変換回路から出力される前記第１のＤＣ電源の電圧があらかじめ定めたＤＣ電圧閾値以下に低下したことを示すＤＣ電源電圧低下情報を出力する電圧検出ステップと
を有し、
かつ、前記制御回路は、
前記電源ＯＦＦ検出ステップにおいて出力される前記電源ＯＦＦ情報を受け取った際に、該電源ＯＦＦ情報を、対向して接続されている対向側通信装置に対して送信するとともに、さらに、該電源ＯＦＦ情報の出力時点から、前記ＤＣ電源電圧低下情報が前記電圧検出ステップにおいて出力される時点までの経過時間を測定して、前記ＡＣ一次側平滑用コンデンサおよび前記ＤＣ二次側バックアップ用コンデンサによるバックアップ動作を行っている経過時間を示すバックアップ時間情報として生成して、生成した該バックアップ時間情報を、前記対向側通信装置に対して送信する
ことを特徴とする通信装置電源用コンデンサ異常検出方法。
【請求項７】
前記制御回路は、
対向して接続されている対向側通信装置が送信した前記電源ＯＦＦ情報を受け取った時点からあらかじめ定めた時間閾値を経過するまでの間に、当該対向側通信装置から前記バックアップ時間情報を受け取った場合、該バックアップ時間情報に含まれている前記経過時間があらかじめ定めた時間閾値未満の値であった場合には、前記電源ＯＦＦ情報を送信してきた前記対向側通信装置の前記ＡＣ一次側平滑用コンデンサの容量が異常に低下しているものと判定し、
また、前記対向側通信装置が送信した前記電源ＯＦＦ情報を受け取った時点から前記時間閾値を経過するまでの間に、当該対向側通信装置から前記バックアップ時間情報を受け取らなかった場合には、前記電源ＯＦＦ情報を送信してきた前記対向側通信装置の前記ＤＣ二次側バックアップ用コンデンサの容量が異常に低下しているものと判定する
ことを特徴とする請求項６に記載の通信装置電源用コンデンサ異常検出方法。
【請求項８】
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換するＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路と
を有する通信装置において、前記ＡＣ一次側平滑用コンデンサおよび前記ＤＣ二次側バックアップ用コンデンサの容量低下の異常を検出する通信装置電源用コンデンサ異常検出方法であって、
前記通信装置は、電力供給がない状態においても記憶した情報を継続して保存することができる不揮発性メモリ
をさらに備えるとともに、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出ステップと、
前記ＤＣ／ＤＣ変換回路から出力される前記第１のＤＣ電源の電圧があらかじめ定めたＤＣ電圧閾値以下に低下したことを示すＤＣ電源電圧低下情報を出力する電圧検出ステップと
を有し、
かつ、前記制御回路は、
前記電源ＯＦＦ検出ステップにおいて出力される前記電源ＯＦＦ情報を受け取った際に、該電源ＯＦＦ情報の出力時点から、前記ＤＣ電源電圧低下情報が前記電圧検出ステップにおいて出力される時点までの経過時間を測定して、第１の経過時間として前記不揮発性メモリに保存し、さらに、前記ＤＣ電源電圧低下情報が前記電圧検出回路から出力された時点から、前記第２のＤＣ電源がハイレベルからロウレベルに変化する時点までの経過時間を測定して、第２の経過時間として前記不揮発性メモリに保存し、
前記ＡＣ一次側電源がＯＮ状態に復旧した際に、
前記不揮発性メモリに保存している前記第１の経過時間および前記第２の経過時間を読み出して、それぞれに対応してあらかじめ定めた第１の時間閾値および第２の時間閾値と比較し、
前記第１の経過時間が、前記第１の時間閾値未満の時間であった場合には、前記ＡＣ一次側平滑用コンデンサの容量が異常に低下したものと判定し、また、前記第２の経過時間が、前記第２の時間閾値未満の時間であった場合には、前記ＤＣ二次側バックアップ用コンデンサの容量が異常に低下したものと判定する
ことを特徴とする通信装置電源用コンデンサ異常検出方法。
【請求項９】
前記制御回路は、
前記ＡＣ一次側電源のＯＦＦ、ＯＮ毎に、前記第１の経過時間および前記第２の経過時間を測定して、前記不揮発性メモリに保存し、前記ＡＣ一次側電源のＯＦＦ、ＯＮ毎に前記不揮発性メモリに保存した前記第１の経過時間および前記第２の経過時間の時間的な変化を検証することにより、前記ＡＣ一次側平滑用コンデンサの容量の低下、および、前記ＤＣ二次側バックアップ用コンデンサの容量の低下を予測する
ことを特徴とする請求項８に記載の通信装置電源用コンデンサ異常検出方法。
【請求項１０】
前記通信装置は
内部温度を測定する温度センサをさらに備え、
前記制御回路は、
前記ＡＣ一次側電源のＯＦＦ、ＯＮ毎に、前記温度センサにより前記内部温度をさらに測定して、前記不揮発性メモリに保存し、前記ＡＣ一次側電源のＯＦＦ、ＯＮ毎に前記不揮発性メモリに保存した前記内部温度の時間的な変化を、前記第１の経過時間、前記第２の経過時間の時間的な変化に含めて検証することにより、前記ＡＣ一次側平滑用コンデンサの容量の低下、および、前記ＤＣ二次側バックアップ用コンデンサの容量の低下を予測する
ことを特徴とする請求項９に記載の通信装置電源用コンデンサ異常検出方法。
【発明の詳細な説明】
【技術分野】
【０００１】
本発明は、通信装置および通信装置の電源異常の検出方法に関し、特に、電源用コンデンサの容量の異常低下を検出できる通信装置および通信装置電源用コンデンサ異常検出方法に関する。
【背景技術】
【０００２】
近年の通信装置では、電源回路としてＡＣ一次側電源から供給されるＡＣ電源を平滑回路および平滑用コンデンサにより平滑化し、直流に変換した後、ＤＣ／ＤＣ変換回路により電圧を調整し、制御回路向けの電力を供給するように構成されている。一般に、平滑用コンデンサ等の電源用コンデンサは、大容量化が可能なアルミ電解コンデンサが使用されているが、経年変化により容量低下・容量抜けが発生しても、かかる異常状態を外観からは感知することが困難な場合が多く、かつ、実環境下で動作中の状態にある際に、平滑用コンデンサ等の電源用コンデンサの容量低下等の異常状態を監視できなかったので、通信装置が故障になるまで使用し続けざるを得なかった。
【０００３】
かかる事情は、通信装置以外の電子機器の分野においても同様であり、例えば、特許文献１の特開平７−９２２１２号公報「コンデンサ寿命診断装置」においては、実環境下ではなく、専用の診断装置を用いて、電源用コンデンサの寿命を診断することを提案している。
【先行技術文献】
【特許文献】
【０００４】
【特許文献１】特開平７−９２２１２号公報
【発明の概要】
【発明が解決しようとする課題】
【０００５】
前述したように、本発明に関連する現状の技術においては、通信装置が通信ネットワーク内の実環境において動作中の状態にある際に、当該通信装置内の電源回路を構成する電源用コンデンサの容量の異常な低下を検出する仕組みを備えていない。したがって、通信装置内の電源用コンデンサの容量の異常な低下が生じていても、当該通信装置が完全に故障に陥る前の段階で、当該通信装置を通信ネットワークから撤去し、当該通信装置内の電源用コンデンサを交換するという保守形態を採用することができないという問題がある。
【０００６】
（本発明の目的）
本発明は、かかる事情に鑑みてなされたものであり、実環境下で動作中であっても装置内の電源回路を構成する電源用コンデンサの容量の異常な低下を確実に検出することを可能にする通信装置および通信装置電源用コンデンサ異常検出方法を提供することにある。
【課題を解決するための手段】
【０００７】
前述の課題を解決するため、本発明による通信装置および通信装置電源用コンデンサ異常検出方法は、主に、次のような特徴的な構成を採用している。
【０００８】
（１）本発明による通信装置は、
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換する第１のＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路を備える
通信装置において、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出回路と、
前記第１のＤＣ／ＤＣ変換回路から出力される前記第１のＤＣ電源の電圧があらかじめ定めたＤＣ電圧閾値以下に低下したことを示すＤＣ電源電圧低下情報を出力する電圧検出回路と
をさらに備え、
かつ、前記制御回路は、
前記電源ＯＦＦ検出回路から出力される前記電源ＯＦＦ情報を受け取った際に、該電源ＯＦＦ情報を、対向して接続されている対向側通信装置に対して送信するとともに、さらに、該電源ＯＦＦ情報の出力時点から、前記ＤＣ電源電圧低下情報が前記電圧検出回路から出力される時点までの経過時間を測定して、前記ＡＣ一次側平滑用コンデンサおよび前記ＤＣ二次側バックアップ用コンデンサによるバックアップ動作を行っている経過時間を示すバックアップ時間情報として生成して、生成した該バックアップ時間情報を、前記対向側通信装置に対して送信する仕組み
を備えていることを特徴とする。
【０００９】
（２）本発明による通信装置は、
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換するＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路を備える
通信装置において、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出回路と、
前記ＤＣ／ＤＣ変換回路から出力される前記第１のＤＣ電源の電圧があらかじめ定めたＤＣ電圧閾値以下に低下したことを示すＤＣ電源電圧低下情報を出力する電圧検出回路と、
電力供給がない状態においても記憶した情報を継続して保存することができる不揮発性メモリと
をさらに備え、
かつ、前記制御回路は、
前記電源ＯＦＦ検出回路から出力される前記電源ＯＦＦ情報を受け取った際に、該電源ＯＦＦ情報の出力時点から、前記ＤＣ電源電圧低下情報が前記電圧検出回路から出力される時点までの経過時間を測定して、第１の経過時間として前記不揮発性メモリに保存し、さらに、前記ＤＣ電源電圧低下情報が前記電圧検出回路から出力された時点から、前記第２のＤＣ電源がハイレベルからロウレベルに変化する時点までの経過時間を測定して、第２の経過時間として前記不揮発性メモリに保存する仕組み
をさらに備えるとともに、
前記ＡＣ一次側電源がＯＮ状態に復旧した際に、
前記不揮発性メモリに保存している前記第１の経過時間および前記第２の経過時間を読み出して、それぞれに対応してあらかじめ定めた第１の時間閾値および第２の時間閾値と比較し、
前記第１の経過時間が、前記第１の時間閾値未満の時間であった場合には、前記ＡＣ一次側平滑用コンデンサの容量が異常に低下したものと判定し、また、前記第２の経過時間が、前記第２の時間閾値未満の時間であった場合には、前記ＤＣ二次側バックアップ用コンデンサの容量が異常に低下したものと判定する仕組み
をさらに備えていることを特徴とする。
【００１０】
（３）本発明による通信装置電源用コンデンサ異常検出方法は、
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換するＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路と
を有する通信装置において、前記ＡＣ一次側平滑用コンデンサおよび前記ＤＣ二次側バックアップ用コンデンサの容量低下の異常を検出する通信装置電源用コンデンサ異常検出方法であって、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出ステップと、
前記ＤＣ／ＤＣ変換回路から出力される前記第１のＤＣ電源の電圧があらかじめ定めたＤＣ電圧閾値以下に低下したことを示すＤＣ電源電圧低下情報を出力する電圧検出ステップと
を有し、
かつ、前記制御回路は、
前記電源ＯＦＦ検出ステップにおいて出力される前記電源ＯＦＦ情報を受け取った際に、該電源ＯＦＦ情報を、対向して接続されている対向側通信装置に対して送信するとともに、さらに、該電源ＯＦＦ情報の出力時点から、前記ＤＣ電源電圧低下情報が前記電圧検出ステップにおいて出力される時点までの経過時間を測定して、前記ＡＣ一次側平滑用コンデンサおよび前記ＤＣ二次側バックアップ用コンデンサによるバックアップ動作を行っている経過時間を示すバックアップ時間情報として生成して、生成した該バックアップ時間情報を、前記対向側通信装置に対して送信する
ことを特徴とする。
【００１１】
（４）本発明による通信装置電源用コンデンサ異常検出方法は、
通信動作の制御をする制御回路に対して電力を供給する電源回路として、
ＡＣ一次側電源を整流し平滑化する平滑回路およびＡＣ一次側平滑用コンデンサと、
前記平滑回路およびＡＣ一次側平滑用コンデンサにより平滑化した前記ＡＣ一次側電源を第１のＤＣ電源に変換するＤＣ／ＤＣ変換回路と、
前記ＡＣ一次側電源のＯＦＦ状態時のバックアップ用として、前記第１のＤＣ電源の電力を蓄電するＤＣ二次側バックアップ用コンデンサと
を有するとともに、
前記制御回路は、前記第１のＤＣ電源を前記通信動作の制御に要する電圧値の第２のＤＣ電源に変換する第２のＤＣ／ＤＣ変換回路と
を有する通信装置において、前記ＡＣ一次側平滑用コンデンサおよび前記ＤＣ二次側バックアップ用コンデンサの容量低下の異常を検出する通信装置電源用コンデンサ異常検出方法であって、
前記通信装置は、電力供給がない状態においても記憶した情報を継続して保存することができる不揮発性メモリ
をさらに備えるとともに、
前記ＡＣ一次側電源の電圧があらかじめ定めたＡＣ電圧閾値以下に低下した際に、前記ＡＣ一次側電源がＯＦＦ状態に陥ったことを示す電源ＯＦＦ情報を出力する電源ＯＦＦ検出ステップと、
前記ＤＣ／ＤＣ変換回路から出力される前記第１のＤＣ電源の電圧があらかじめ定めたＤＣ電圧閾値以下に低下したことを示すＤＣ電源電圧低下情報を出力する電圧検出ステップと
を有し、
かつ、前記制御回路は、
前記電源ＯＦＦ検出ステップにおいて出力される前記電源ＯＦＦ情報を受け取った際に、該電源ＯＦＦ情報の出力時点から、前記ＤＣ電源電圧低下情報が前記電圧検出ステップにおいて出力される時点までの経過時間を測定して、第１の経過時間として前記不揮発性メモリに保存し、さらに、前記ＤＣ電源電圧低下情報が前記電圧検出回路から出力された時点から、前記第２のＤＣ電源がハイレベルからロウレベルに変化する時点までの経過時間を測定して、第２の経過時間として前記不揮発性メモリに保存し、
前記ＡＣ一次側電源がＯＮ状態に復旧した際に、
前記不揮発性メモリに保存している前記第１の経過時間および前記第２の経過時間を読み出して、それぞれに対応してあらかじめ定めた第１の時間閾値および第２の時間閾値と比較し、
前記第１の経過時間が、前記第１の時間閾値未満の時間であった場合には、前記ＡＣ一次側平滑用コンデンサの容量が異常に低下したものと判定し、また、前記第２の経過時間が、前記第２の時間閾値未満の時間であった場合には、前記ＤＣ二次側バックアップ用コンデンサの容量が異常に低下したものと判定する
ことを特徴とする。
【発明の効果】
【００１２】
本発明の通信装置および通信装置電源用コンデンサ異常検出方法によれば、以下のような効果を奏することができる。
【００１３】
すなわち、本発明に係る通信装置は、ＡＣ一次側電源がＯＦＦ状態に変化したことを電源ＯＦＦ情報として、対向して接続されている対向側通信装置に対して通知し、さらに、ＡＣ一次側電源がＯＦＦ状態に変化した時点から、該ＡＣ一次側電源のバックアップ用として機能するＤＣ二次側バックアップ用コンデンサからの供給電力の電圧値があらかじめ定めたＤＣ電圧閾値以下に低下した時点に達するまでの経過時間Ｔ１をバックアップ時間情報（Ｔ１情報）として、対向して接続されている対向側通信装置に対して通知する仕組みを少なくとも備えている。
【００１４】
そして、対向側通信装置においては、相手側の前記通信装置からの前記バックアップ時間情報（Ｔ１情報）に含まれている経過時間Ｔ１が、あらかじめ定めた時間閾値未満であった場合には、該通信装置の電源回路を構成するＡＣ一次側平滑用コンデンサの容量が異常に低下しているものと判定し、また、該通信装置からの前記電源ＯＦＦ情報の受信時点からあらかじめ定めた制限時間内に、前記バックアップ時間情報（Ｔ１情報）を受信することができなかった場合には、該通信装置の電源回路を構成する前記ＤＣ二次側バックアップ用コンデンサの容量が異常に低下しているものと判定する仕組みを少なくとも備えている。
【００１５】
而して、通信装置が実環境下で動作中の状態にあったとしても、当該通信装置の電源回路を構成するＡＣ一次側平滑用コンデンサの容量およびＤＣ二次側バックアップ用コンデンサの容量の異常な低下が発生したことを、簡単な仕組みで確実に検出することができる。
【図面の簡単な説明】
【００１６】
【図１】本発明に係る通信装置の内部構成の一例を示すブロック構成図である。
【図２】図１に示した通信装置内の制御回路の内部構成の一例を示すブロック構成図である。
【図３】図１に示した通信装置の主要な回路から出力される信号の動作タイミングの一例を示す模式図である。
【図４】図１に示した通信装置からの電源ＯＦＦ情報およびバックアップ時間情報（Ｔ１情報）を受信した対向側通信装置における動作の一例を説明するためのフローチャートである。
【図５】図１に示した通信装置の電源ＯＦＦ検出回路の具体的な回路構成例を示す回路図である。
【図６】図１に示した通信装置の電圧検出回路の具体的な回路構成例を示す回路図である。
【図７】図１に示した通信装置内の制御回路の図２とは異なる内部構成の一例を示すブロック構成図である。
【発明を実施するための形態】
【００１７】
以下、本発明による通信装置および通信装置電源用コンデンサ異常検出方法の好適な実施形態について添付図を参照して説明する。なお、以下の各図面に付した図面参照符号は、理解を助けるための一例として各要素に便宜上付記したものであり、本発明を図示の態様に限定することを意図するものではないことは言うまでもない。
【００１８】
（本発明の特徴）
本発明の実施形態の説明に先立って、本発明の特徴についてその概要をまず説明する。本発明は、通信装置および通信装置電源用コンデンサ異常検出方法に関する発明であり、ＡＣ一次側電源ＯＦＦの検出結果、および、ＡＣ一次側電源ＯＦＦ後のバックアップ動作中におけるバックアップ時間の測定結果を、電源ＯＦＦ情報およびバックアップ時間情報として、対向して接続されている対向側通信装置に対して通知する仕組みを備え、該対向側通信装置が、相手側の通信装置から前記電源ＯＦＦ情報を受信した後前記バックアップ時間情報を受信できなかった場合、あるいは、受信した前記バックアップ時間情報に含まれているバックアップ時間があらかじめ定めた時間閾値未満の短い時間になっていた場合には、相手側の通信装置の電源用コンデンサ(通常、アルミ電解コンデンサ)の容量が異常に低下しているものと認識する仕組みを備えていることを、主要な特徴としている。
【００１９】
本発明の特徴をさらに補足して説明すると、次の通りである。通信装置の電源回路内に、ＡＣ一次側電源があらかじめ定めたＡＣ電圧閾値以下に低下したことを示す電源ＯＦＦ情報を出力する電源ＯＦＦ検出回路と、該ＡＣ一次側電源をＤＣ変換して得られるＤＣ電源の電圧があらかじめ定めたＤＣ電圧閾値以下に低下したことを示すＤＣ電源電圧低下情報を出力する電圧検出回路と、前記ＡＣ一次側電源の整流および平滑を行うＡＣ一次側平滑用コンデンサと、前記ＤＣ電源のバックアップ用の電力を蓄電するＤＣ二次側バックアップ用コンデンサと、を少なくとも具備する。
【００２０】
そして、前記電源ＯＦＦ検出回路が前記電源ＯＦＦ情報を出力した後、前記ＡＣ一次側平滑用コンデンサおよび前記ＤＣ二次側バックアップ用コンデンサによるバックアップ動作中において、当該通信装置に対向して接続されている対向側通信装置に対して前記電源ＯＦＦ情報を送信した後、前記電源ＯＦＦ情報の出力時点から、前記電圧検出回路から前記ＤＣ電源電圧低下情報が出力される時点までの経過時間を測定して、バックアップ時間情報として、前記対向側通信装置に対して送信する仕組みを備えていることを主要な特徴としている。
【００２１】
また、対向して接続されている対向側通信装置から前記電源ＯＦＦ情報を受信した通信装置においては、前記電源ＯＦＦ情報を受信してからあらかじめ定めた時間閾値が経過するまでに、当該対向側通信装置から前記バックアップ時間情報を受信した場合には、該バックアップ時間情報に含まれている前記経過時間があらかじめ定めた時間閾値未満の短い時間であった場合には、該対向側通信装置の電源回路内の前記ＡＣ一次側平滑用コンデンサの容量が異常に低下しているものと判定し、一方、前記時間閾値が経過しても、前記対向側通信装置から前記バックアップ時間情報を受信することができなかった場合には、該対向側通信装置の電源回路内の前記ＤＣ二次側バックアップ用コンデンサの容量が異常に低下しているものと判定する仕組みを備えていることも主要な特徴の一つとしている。
【００２２】
（本発明の実施形態の構成例）
次に、本発明に係る通信装置の内部構成について、その一例を、図１を参照しながら説明する。図１は、本発明に係る通信装置の内部構成の一例を示すブロック構成図であり、電源回路の主要部に着目して記載している。なお、通信ネットワークを介して互いに接続される各通信装置は、図１と同様の電源回路を内蔵している。例えば、図１に示す通信装置１に対向して接続されている対向側通信装置２に関しても、図１の通信装置１と全く同様の内部構成からなっている。
【００２３】
図１に示すように、通信装置１の電源回路は、フィルタ１１、平滑回路１２、ＤＣ／ＤＣ変換回路１３（前述の第１のＤＣ／ＤＣ変換回路に相当）、制御回路１４、ＡＣ一次側平滑用コンデンサ２１、ＤＣ二次側バックアップ用コンデンサ２２、電源ＯＦＦ検出回路３１、電圧検出回路３２を少なくとも含んで構成される。ＡＣ一次側電源１１１から入力されるＡＣ電源は、フィルタ１１を介して平滑回路１２に入力され、平滑回路１２およびＡＣ一次側平滑用コンデンサ２１により整流・平滑化され、直流に変換された後、ＤＣ／ＤＣ変換回路１３により第１のＤＣ電源１３１に変換されて、ＤＣ二次側バックアップ用コンデンサ２２を経由して、制御回路１４に供給される。
【００２４】
ここで、フィルタ１１は、ノイズからの保護用の回路であり、平滑回路１２およびＡＣ一次側平滑用コンデンサ２１は、ＡＣ一次側電源１１１を全波整流するための回路およびコンデンサである。また、ＤＣ／ＤＣ変換回路１３は、通信装置１内の主機能である通信制御を行う制御回路１４を動作させるために必要とする第１のＤＣ電源１３１を出力する回路である。
【００２５】
なお、ＤＣ二次側バックアップ用コンデンサ２２は、ＤＣ／ＤＣ変換回路１３の出力側に接続され、ＤＣ／ＤＣ変換回路１３からの第１のＤＣ電源１３１の電力を受電することにより、ＡＣ一次側電源１１１がＯＦＦ時であっても、後段の制御回路１４を動作させて、例えば、対向して接続されている対向側通信装置２に対して必要な情報を通知したり、制御回路１４内に設置している不揮発性メモリすなわちＦＲＯＭ４３に必要な情報を退避したりするために必要とする電力を蓄電するバックアップ用のコンデンサである。また、通信装置１の電源回路を構成する電源用コンデンサのＡＣ一次側平滑用コンデンサ２１およびＤＣ二次側バックアップ用コンデンサ２２は、通常、大容量化が可能なアルミ電解コンデンサが用いられる。
【００２６】
また、ＡＣ一次側平滑用コンデンサ２１の容量の異常な低下は、ＡＣ一次側電源１１１がＯＦＦ状態に変化したことを検出する電源ＯＦＦ検出回路３１（一次側電源断検出回路）が出力する電源ＯＦＦ検出信号３１１のレベル変化時点と第１のＤＣ電源１３１（ＤＣ二次側電源）の電圧変化を検出する電圧検出回路３２が出力する電圧検出信号３２１のレベル変化時点との間の時間差（Ｔ１時間）に基づいて検出される。一方、ＤＣ二次側バックアップ用コンデンサ２２の容量の異常な低下は、電圧検出回路３２が出力する電圧検出信号３２１を監視し、例えば、バックアップ動作中の電力供給状態であっても前記時間差（Ｔ１時間）を算出する動作を実施することができたか否かに基づいて検出される。
【００２７】
電源ＯＦＦ検出回路３１は、フィルタ１１の出力側に接続されて、フィルタ１１から出力されるＡＣ一次側電源１１１の電圧レベルを監視し、ＡＣ一次側電源１１１の電圧レベルがあらかじめ定めたＡＣ電圧閾値よりも大きいもしくは該ＡＣ電圧閾値以下になっているか否かを検出し、ＡＣ電圧閾値よりも大きいもしくは該ＡＣ電圧閾値以下に応じて、出力しようとする電源ＯＦＦ検出信号３１１のレベルを変えて、電源ＯＦＦ情報として制御回路１４に対して出力する。つまり、制御回路１４に対して出力する電源ＯＦＦ情報として、電源ＯＦＦ検出信号３１１のレベルを、ＡＣ一次側電源１１１の電圧レベルが、前記ＡＣ電圧閾値よりも大きい場合には、ロウレベル、該ＡＣ電圧閾値以下の場合には、ハイレベルに設定して出力する。言い換えると、電源ＯＦＦ検出回路３１は、ＡＣ一次側電源１１１の電圧があらかじめ定めたＡＣ電圧閾値以下に低下した際に、ＡＣ一次側電源１１１がＯＦＦ状態に陥ったことを示す電源ＯＦＦ情報を制御回路１４に対して出力する。
【００２８】
電圧検出回路３２は、ＤＣ／ＤＣ変換回路１３にて生成された制御回路１４用の第１のＤＣ電源１３１の電圧レベルが、あらかじめ定めたＤＣ電圧閾値よりも大きいもしくは該ＤＣ電圧閾値以下になっているか否かを検出し、ＤＣ電圧閾値よりも大きいもしくは該ＤＣ電圧閾値以下に応じて、出力しようとする電圧検出信号３２１のレベルを変えて、制御回路１４に対して出力する。つまり、制御回路１４に対して出力する情報として、電圧検出信号３２１のレベルを、第１のＤＣ電源１３１の電圧レベルが、前記ＤＣ電圧閾値よりも大きい場合には、ハイレベル、該ＤＣ電圧閾値以下の場合には、ロウレベルに設定して出力する。言い換えると、ＤＣ／ＤＣ変換回路１３から出力される第１のＤＣ電源１３１の電圧があらかじめ定めたＤＣ電圧閾値以下に低下した際に、第１のＤＣ電源１３１の電圧が基準値以下のレベルにまで低下したことを示すＤＣ電源電圧低下情報を制御回路１４に対して出力する。
【００２９】
次に、図１の制御回路１４の内部構成について、図２を用いて説明する。図２は、図１に示した通信装置１内の制御回路１４の内部構成の一例を示すブロック構成図である。
【００３０】
図２に示すように、制御回路１４は、ＤＣ／ＤＣ変換回路４１（前述の第２のＤＣ／ＤＣ変換回路に相当）、ＣＰＵ４２、ＦＲＯＭ４３、通信回路４４、ＣＬＫ４５を少なくとも含んで構成される。ＤＣ／ＤＣ変換回路４１は、図１に示したＤＣ／ＤＣ変換回路１３から出力されてくる第１のＤＣ電源１３１の電圧レベルを、制御回路１４内のＣＰＵ４２、ＦＲＯＭ４３、通信回路４４、ＣＬＫ４５の各回路ブロックが動作する電圧レベルの第２のＤＣ電源４１１に変換する変換回路である。
【００３１】
ＦＲＯＭ４３は、電力供給がない状態であっても記憶した情報を保持することができる不揮発性メモリであって、ＣＰＵ４２において動作するプログラムを格納するとともに、通信装置１の異常が発生した際に通信装置１内の各種情報を退避するためのフラッシュメモリ（Flash  （Read-Only）  Memory）である。また、ＣＬＫ４５は、ＣＰＵ４２を動作させるためのクロック（Ｃｌｏｃｋ）信号を供給する発振器である。通信回路４４は、対向して接続されている対向側通信装置２との間で通信用の信号を送受信するための回路であり、送受信した信号はデータ４２２としてＣＰＵ４２との間でやり取りされる。例えば、ＣＰＵ４２が作成した信号は、通信回路４４を介して対向側通信装置２に対して送信される。
【００３２】
ＣＰＵ４２は、ＣＬＫ４５から供給されるクロック信号に基づいて動作するプロセッサ（Central  Processing  Unit）であり、ＦＲＯＭ４３に格納されているプログラムをデータ４２１として順次読み出して実行する。そして、ＡＣ一次側電源１１１がＯＦＦされた後、ＡＣ一次側平滑用コンデンサ２１およびＤＣ二次側バックアップ用コンデンサ２２によって動作用のＤＣ電力がバックアップ供給されている期間中において、ＣＰＵ４２は、図１に示す電源ＯＦＦ検出回路３１からの電源ＯＦＦ検出信号３１１を受け取ると、ＡＣ一次側電源１１１がＯＦＦ状態に変化した旨を示す電源ＯＦＦ情報として、電源ＯＦＦ情報送信タイミング５１１において、通信回路４４を介して対向側通信装置２に対して通知する。なお、電源ＯＦＦ情報送信タイミング５１１については、後述する。
【００３３】
また、制御回路１４内部のＣＰＵ４２は、電源ＯＦＦ検出回路３１からの電源ＯＦＦ検出信号３１１のレベルが変化した時点から、図１に示す電圧検出回路３２からの電圧検出信号３２１のレベルが変化した時点までの経過時間を測定している。そして、ＣＰＵ４２は、ＡＣ一次側電源１１１のＡＣ電圧があらかじめ定めたＡＣ電圧閾値以下に低下してＡＣ一次側電源１１１がＯＦＦ状態に変化した時点から第１のＤＣ電源１３１の電圧があらかじめ定めたＤＣ電圧閾値以下に低下した時点までの経過時間を、ＡＣ一次側平滑用コンデンサ２１およびＤＣ二次側バックアップ用コンデンサ２２によるバックアップ動作を行っている継続時間を示すバックアップ時間情報（Ｔ１情報）として、通信回路４４を介して対向側通信装置２に対して通知する。
【００３４】
当該通信装置１に対向して接続されている対向側通信装置２は、当該通信装置１から、電源ＯＦＦ情報およびバックアップ時間情報（Ｔ１情報）を受信すると、受信した電源ＯＦＦ情報およびバックアップ時間情報（Ｔ１情報）に基づいて、相手側の当該通信装置１における電源用コンデンサの容量（すなわちＡＣ一次側平滑用コンデンサ２１およびＤＣ二次側バックアップ用コンデンサ２２それぞれの容量）を判断する。すなわち、前記電源ＯＦＦ情報を受信した後、前記バックアップ時間情報を受信できなかった場合、あるいは、受信した前記バックアップ時間情報（Ｔ１情報）があらかじめ定めた時間閾値以下になっていた場合には、相手側の当該通信装置１の電源回路の電源用コンデンサ(通常、アルミ電解コンデンサ)の容量があらかじめ定めた基準値以下に低下しているものと認識する。
【００３５】
なお、当該通信装置１の動作タイミングおよび対向側通信装置２における当該通信装置１の電源用コンデンサの容量（すなわちＡＣ一次側平滑用コンデンサ２１およびＤＣ二次側バックアップ用コンデンサ２２それぞれの容量）の低下を判断する動作については、後述の動作例の説明においてさらに詳細に説明する。
【００３６】
（本発明の実施形態の動作例の説明）
次に、図１、図２に本発明の一実施形態として説明した通信装置１および対向側通信装置２の動作について、その一例を説明する。まず、図３を用いて、通信装置１内の各回路からの出力信号の変化、対向側通信装置２に対して送信する情報に関する動作タイミングについて説明する。図３は、図１に示した通信装置１の主要な回路から出力される信号の動作タイミングの一例を示す模式図である。
【００３７】
図３には、通信装置１内の主要部として、通信装置１の電源回路に入力されるＡＣ一次側電源１１１、ＤＣ／ＤＣ変換回路１３から出力される第１のＤＣ電源１３１、電源ＯＦＦ検出回路３１から出力される電源ＯＦＦ検出信号３１１、電圧検出回路３２から出力される電圧検出信号３２１、および、制御回路１４内のＤＣ／ＤＣ変換回路４１から出力される第２のＤＣ電源４１１のそれぞれについて、出力波形の一例を示すとともに、通信回路４４から対向側通信装置２に対して電源ＯＦＦ情報およびバックアップ時間情報（Ｔ１情報）が送信される電源ＯＦＦ情報送信タイミング５１１について、その一例を示している。なお、横軸方向には時間の経過を示している。
【００３８】
図３に示すように、時刻ｔ０において、ＡＣ一次側電源１１１がＯＦＦ状態に変化した時、電源ＯＦＦ検出回路３１から出力される電源ＯＦＦ検出信号３１１のレベルがロウレベル からハイレベルに変化する。その結果、当該通信装置１の制御回路１４に対する動作用の電力は、ＡＣ一次側電源１１１がＯＦＦ状態に変化したために、ＡＣ一次側平滑用コンデンサ２１およびＤＣ二次側バックアップ用コンデンサ２２から供給される状態になる。そして、当該通信装置１の制御回路１４内の通信回路４４は、ＡＣ一次側平滑用コンデンサ２１およびＤＣ二次側バックアップ用コンデンサ２２によってバックアップされている期間中において、図３の電源ＯＦＦ情報送信タイミング５１１に示すように、電源ＯＦＦ検出信号３１１のレベルがハイレベルに変化した時刻ｔ０からあらかじめ定めた時間すなわちＴ３時間が経過した時刻ｔ１の時点で、ＡＣ一次側電源１１１がＯＦＦ状態に変化したことを示す電源ＯＦＦ情報を、対向側通信装置２に対して通知する。
【００３９】
しかる後、当該通信装置１の制御回路１４は、ＤＣ二次側バックアップ用コンデンサ２２からの電力供給により動作を継続するが、該ＤＣ二次側バックアップ用コンデンサ２２の容量に応じて、図３の第１のＤＣ電源１３１に示すように、時刻ｔ２において、第１のＤＣ電源１３１の電圧が低下し始める。そして、第１のＤＣ電源１３１の電圧が時間経過とともに徐々に低下していき、図３の時刻ｔ３において、あらかじめ定めたＤＣ電圧閾値にまで低下すると、第１のＤＣ電源１３１の電圧が該ＤＣ電圧閾値以下に低下したことを示すＤＣ電源電圧低下情報として、図３の電圧検出信号３２１に示すように、電圧検出回路３２は、電圧検出信号３２１のレベルをハイレベルからロウレベルに変化させる。
【００４０】
制御回路１４のＣＰＵ４２は、時刻ｔ３において、電圧検出回路３２からの電圧検出信号３２１のレベルがハイレベルからロウレベルに変化したことを検知すると、電源ＯＦＦ検出信号３１１のレベルがハイレベルに変化した時刻ｔ０から電圧検出信号３２１のレベルがロウレベルに変化した時刻ｔ３に至るまでの経過時間（Ｔ１）を測定して、ＡＣ一次側平滑用コンデンサ２１およびＤＣ二次側バックアップ用コンデンサ２２によるバックアップ動作を行っている継続時間を示すバックアップ時間情報（Ｔ１情報）として通信回路４４に出力する。その結果、当該通信装置１の通信回路４４は、図３の電源ＯＦＦ情報送信タイミング５１１に示すように、電圧検出信号３２１のレベルがロウレベルに変化した時刻ｔ３からあらかじめ定めた時間すなわちＴ４時間が経過した時刻ｔ４の時点で、第１のＤＣ電源１３１の電圧が前記ＤＣ電圧閾値以下に低下したことを示す情報、言い換えると、ＡＣ一次側平滑用コンデンサ２１およびＤＣ二次側バックアップ用コンデンサ２２によるバックアップ動作を行っている継続時間を示すバックアップ時間情報（Ｔ１情報）を、対向側通信装置２に対して通知する。
【００４１】
しかる後、ＤＣ二次側バックアップ用コンデンサ２２単独によるバックアップ動作中の状態に完全に移行するが、ＤＣ二次側バックアップ用コンデンサ２２の容量に応じて、ＤＣ／ＤＣ変換回路４１から出力される第２のＤＣ電源４１１の電圧も、図３の時刻ｔ５に示すように、電圧検出信号３２１のレベルがロウレベルに変化した時刻ｔ３から経過時間Ｔ２が経過した時刻ｔ５において、ハイレベルからロウレベルに変化して、制御回路１４への電力供給能力が失われる。
【００４２】
次に、図１に示した通信装置１が、図３の模式図に示したように動作して、電源ＯＦＦ情報およびバックアップ時間情報（Ｔ１情報）を送信した相手側の対向側通信装置２における動作を、図４のフローチャートを用いて説明する。図４は、図１に示した通信装置１からの電源ＯＦＦ情報およびバックアップ時間情報（Ｔ１情報）を受信した対向側通信装置２における動作の一例を説明するためのフローチャートであり、相手側の通信装置１のＡＣ一次側平滑用コンデンサ２１の容量およびＤＣ二次側バックアップ用コンデンサ２２の容量の低下を判断する動作の一例を示している。なお、前述したように、対向側通信装置２の内部構成も、図１、図２に示した通信装置１と全く同様の構成からなっている。したがって、図４に示すフローチャートについても、通信装置１と対向側通信装置２とを入れ替えて、対向して接続されている対向側通信装置２から電源ＯＦＦ情報およびバックアップ時間情報（Ｔ１情報）を受信した際の通信装置１における動作例を示していると言うこともできる。
【００４３】
図４のフローチャートにおいて、対向側通信装置２は、相手側の通信装置１から電源ＯＦＦ情報を受信すると（ステップＳ１）、引き続いて、電源ＯＦＦ情報の受信時点からあらかじめ定めた制限時間内に、当該通信装置１からバックアップ時間情報（Ｔ１情報）を受信したか否かを確認する（ステップＳ２）。相手側の当該通信装置１から前記制限時間内に、バックアップ時間情報（Ｔ１情報）を受信した場合には（ステップＳ２の受信可の場合）、受信したバックアップ時間情報（Ｔ１情報）に含まれている経過時間Ｔ１（ＡＣ一次側電源１１１がＯＦＦ状態になり電源ＯＦＦ検出信号３１１がロウレベルからハイレベルに変化した時刻ｔ０から、第１のＤＣ電源１３１があらかじめ定めたＤＣ電圧閾値以下に低下して電圧検出信号３２１がハイレベルからロウレベルに変化した時刻ｔ３に至るまでの時間）と、あらかじめ定めた時間閾値とを比較する（ステップＳ３）。
【００４４】
受信したバックアップ時間情報（Ｔ１情報）に含まれている経過時間Ｔ１が、前記時間閾値未満の値であった場合には（ステップＳ３の時間閾値未満の場合）、相手側の通信装置１のＡＣ一次側平滑用コンデンサ２１の容量が異常に低下しているものと判定する（ステップＳ４）。これに対して、受信したバックアップ時間情報（Ｔ１情報）に含まれている経過時間Ｔ１が、前記時間閾値以上の値であった場合には（ステップＳ３の時間閾値以上の場合）、相手側の通信装置１のＡＣ一次側平滑用コンデンサ２１の容量、および、ＤＣ二次側バックアップ用コンデンサ２２の容量のいずれも、正常であるものと判定する（ステップＳ５）。
【００４５】
また、ステップＳ２において、相手側の通信装置１から前記制限時間内に、バックアップ時間情報（Ｔ１情報）を受信することができなかった場合には（ステップＳ２の受信不可の場合）、相手側の通信装置１のＤＣ二次側バックアップ用コンデンサ２２によるバックアップ動作が機能していない状態に陥っているものと判断し、該通信装置１のＤＣ二次側バックアップ用コンデンサ２２の容量が異常に低下しているものと判定する（ステップＳ６）。
【００４６】
次に、図１に示した通信装置１の電源ＯＦＦ検出回路３１と電圧検出回路３２との具体的な回路構成の一例について説明する。まず、電源ＯＦＦ検出回路３１の回路構成例について、図５を用いて説明する。図５は、図１に示した通信装置１の電源ＯＦＦ検出回路３１の具体的な回路構成例を示す回路図である。
【００４７】
図５に示す電源ＯＦＦ検出回路３１は、半波整流回路５１、ツェナーダイオード５２、フォトカプラ５３を少なくとも含んで構成される。まず、半波整流回路５１において、ＡＣ一次側電源１１１を半波整流する。そして、半波整流後のＡＣ一次側電源の電圧値が、ツェナーダイオード５２の電圧値よりも大きい値であれば、フォトカプラ５３を介して、ロウレベルの電源ＯＦＦ検出信号３１１を出力する。一方、半波整流後のＡＣ一次側電源の電圧値が、ツェナーダイオード５２の電圧値以下の値であった場合には、ＡＣ一次側電源１１１の電圧値が、ＡＣ一次側電源のＯＦＦ状態を識別するための閾値としてあらかじめ定めたＡＣ電圧閾値以下の電圧値に低下した状態にあるものと見做して、フォトカプラ５３を介して、ハイレベルの電源ＯＦＦ検出信号３１１を出力する。
【００４８】
なお、図５に示す電源ＯＦＦ検出回路３１においては、ＡＣ一次側電源１１１のＯＦＦ状態を識別するためのＡＣ電圧閾値は、任意の値に調整することを可能にしている。つまり、図５の回路構成例においては、ツェナーダイオード５２の電圧値を任意の値に変更することにより、前記ＡＣ電圧閾値を変更することが可能であり、電源ＯＦＦ検出回路３１は、ＡＣ一次側電源１１１がＯＦＦを検出する際のＡＣ一次側電源１１１の電圧検出レベルを簡単な回路構成で容易に調整することができる。
【００４９】
次に、電圧検出回路３２の回路構成例について、図６を用いて説明する。図６は、図１に示した通信装置１の電圧検出回路３２の具体的な回路構成例を示す回路図である。
【００５０】
図６に示す電圧検出回路３２は、ツェナーダイオード５５、トランジスタ５６、トランジスタ５７を少なくとも含んで構成される。第１のＤＣ電源１３１の電圧値が、ツェナーダイオード５２の電圧値よりも大きい値であった場合には、２段に縦列接続したトランジスタ５６およびトランジスタ５７を介して、ハイレベルの電圧検出信号３２１を出力する。これに対して、第１のＤＣ電源１３１の電圧値が、ツェナーダイオード５２の電圧値以下の値であった場合には、制御回路１４に供給するために必要とする電圧値としてあらかじめ定めたＤＣ電圧閾値以下の電圧値に低下した状態にあるものと見做して、ロウレベルの電圧検出信号３２１を出力する。
【００５１】
なお、図６に示す電圧検出回路３２においては、制御回路１４の動作に必要とする第１のＤＣ電源１３１の電圧値の限界を示すＤＣ電圧閾値についても、前記ＡＣ電圧閾値と同様に、任意の値に調整することを可能にしている。つまり、図６の回路構成例においては、ツェナーダイオード５５の電圧値を任意の値に変更することにより、前記ＤＣ電圧閾値を変更することが可能であり、電圧検出回路３２は、制御回路１４に供給するために必要とする第１のＤＣ電源１３１の電圧検出レベルを簡単な回路構成で容易に調整することができる。
【００５２】
（本実施形態の効果の説明） 
以上に詳細に説明したように、本実施形態においては、以下に記載するような効果を奏することができる。
【００５３】
すなわち、本実施形態における通信装置１は、制御回路１４において、ＡＣ一次側電源１１１がＯＦＦ状態になって、電源ＯＦＦ検出信号３１１がロウレベルからハイレベルに変化した時刻ｔ０からあらかじめ定めたＴ３時間経過した時刻ｔ１に、ＡＣ一次側電源１１１がＯＦＦ状態に変化したことを電源ＯＦＦ情報として対向側通信装置２に対して通知し、さらに、制御回路１４において、電源ＯＦＦ検出信号３１１がハイレベルに変化した時刻ｔ０から、ＤＣ／ＤＣ変換回路１３の出力である第１のＤＣ電源１３１があらかじめ定めたＤＣ電圧閾値以下に低下する時刻ｔ３までの経過時間Ｔ１を測定し、前記時刻ｔ３からあらかじめ定めたＴ４時間経過した時刻ｔ４に、測定した該経過時間Ｔ１情報を、ＡＣ一次側平滑用コンデンサ２１およびＤＣ二次側バックアップ用コンデンサ２２によるバックアップ動作を行っている継続時間を示すバックアップ時間情報（Ｔ１情報）として、対向側通信装置２に対して通知する仕組みを備えている。
【００５４】
そして、対向側通信装置２は、通信装置１からの前記バックアップ時間情報（Ｔ１情報）に含まれている経過時間Ｔ１が、あらかじめ定めた時間閾値未満であった場合には、ＡＣ一次側平滑用コンデンサ２１の容量が異常に低下しているものと判定し、また、通信装置１からの前記電源ＯＦＦ情報の受信時点からあらかじめ定めた制限時間内に、前記バックアップ時間情報（Ｔ１情報）を受信することができなかった場合には、通信装置１のＤＣ二次側バックアップ用コンデンサ２２によるバックアップ動作が機能していない場合であると認識し、ＤＣ二次側バックアップ用コンデンサ２２の容量が異常に低下しているものと判定する仕組みを備えている。
【００５５】
而して、通信装置１が実環境下で動作中の状態にあったとしても、当該通信装置１の電源回路を構成するＡＣ一次側平滑用コンデンサ２１の容量およびＤＣ二次側バックアップ用コンデンサ２２の容量の異常な低下が発生したことを、簡単な仕組みで確実に検出することができる。
【００５６】
（本発明の他の実施形態） 
次に、本発明に係る通信装置１の他の実施形態について、前述の図２、図３、図４を用いてさらに説明する。本他の実施形態においては、通信装置１の電源回路用のコンデンサの容量の低下の有無を、前述の実施形態とは異なり、対向して接続されている対向側通信装置２において判定するのではなく、自通信装置１において判定する場合の動作例について説明している。
【００５７】
制御回路１４は、図２にて説明したように、ＤＣ／ＤＣ変換回路４１において、入力されてくる第１のＤＣ電源１３１を、制御回路１４内の各回路が動作するための電圧値である第２のＤＣ電源４１１に変換して出力している。ここで、前述したように、ＡＣ一次側電源１１１がＯＦＦ状態になった後、ＡＣ一次側平滑用コンデンサ２１およびＤＣ二次側バックアップ用コンデンサ２２によってバックアップされている期間中において、制御回路１４のＣＰＵ４２は、電源ＯＦＦ検出回路３１からの電源ＯＦＦ検出信号３１１がハイレベルに変化した時刻ｔ０から電圧検出回路３２からの電圧検出信号３２１がハイレベルからロウレベルに変化する時刻ｔ３までの経過時間Ｔ１を第１の経過時間Ｔ１として測定しているが、さらに、電圧検出信号３２１がハイレベルからロウレベルに変化した時刻ｔ３から、ＤＣ／ＤＣ変換回路４１が出力する第２のＤＣ電源４１１がハイレベルからロウレベルに変化する時刻ｔ５までの経過時間Ｔ２についても第２の経過時間Ｔ２として測定している。
【００５８】
そして、本他の実施形態においては、前述の実施形態とは異なり、制御回路１４のＣＰＵ４２は、測定した第１の経過時間Ｔ１および第２の経過時間Ｔ２を、制御回路１４内の不揮発性メモリであるＦＲＯＭ４３に保存する。
【００５９】
しかる後に、ＡＣ一次側電源１１１がＯＮ状態に復旧した後に、制御回路１４のＣＰＵ４２は、ＦＲＯＭ４３に保存していた第１の経過時間Ｔ１および第２の経過時間Ｔ２を読み出して、それぞれの判定用の閾値としてあらかじめ定めたそれぞれに対応する第１、第２の時間閾値と比較して、それぞれに対応する第１、第２の時間閾値未満の時間であるか否かを確認する。そして、比較結果として、第１の経過時間Ｔ１が、第１の時間閾値未満の時間であった場合には、ＡＣ一次側平滑用コンデンサ２１の容量が異常に低下したものと判定し、また、第２の経過時間Ｔ２が、第２の時間閾値未満の時間であった場合には、ＤＣ二次側バックアップ用コンデンサ２２の容量が異常に低下したものと判定する。
【００６０】
而して、通信装置１は、前述の実施形態の場合とは異なり、ＡＣ一次側平滑用コンデンサ２１およびＤＣ二次側バックアップ用コンデンサ２２によってバックアップされている期間中においては、対向側通信装置２に対して電源ＯＦＦ情報やバックアップ時間情報（Ｔ１情報）を送信する動作を行う代わりに、不揮発性メモリのＦＲＯＭ４３に第１の経過時間Ｔ１および第２の経過時間Ｔ２を保存する動作を行うことによって、ＡＣ一次側電源１１１がＯＮ状態に復旧した後において、当該通信装置１の電源回路を構成するＡＣ一次側平滑用コンデンサ２１およびＤＣ二次側バックアップ用コンデンサ２２の容量の異常な低下を当該通信装置１自身で検出することができる。
【００６１】
また、ＡＣ一次側電源１１１のＯＦＦ、ＯＮ毎に、第１の経過時間Ｔ１および第２の経過時間Ｔ２を測定して、不揮発性メモリのＦＲＯＭ４３に保存し、ＡＣ一次側電源１１１のＯＦＦ、ＯＮ毎にＦＲＯＭ４３に保存した第１の経過時間Ｔ１および第２の経過時間Ｔ２の時間的な変化を検証することにより、ＡＣ一次側平滑用コンデンサ２１の容量の低下、および、ＤＣ二次側バックアップ用コンデンサ２２の容量の低下を予測することも可能である。
【００６２】
あるいは、図７に示すように、制御回路１４内に、通信装置１内の内部温度を測定する温度センサ４６をさらに追加して備えるように構成しても良い。図７は、図１に示した通信装置１内の制御回路１４の図２とは異なる内部構成の一例を示すブロック構成図であり、図２の制御回路１４内にさらに温度センサ４６を追加して備えている場合を例示している。
【００６３】
図７に示す制御回路１４においては、ＣＰＵ４２が測定した経過時間Ｔ１および経過時間Ｔ２をＦＲＯＭ４３に保存するとともに、さらに、温度センサ４６が測定した通信装置１内の内部温度を、データ４２３として、ＣＰＵ４２を介して、ＦＲＯＭ４３に保存する。
【００６４】
一般的に、ＡＣ一次側平滑用コンデンサ２１の容量およびＤＣ二次側バックアップ用コンデンサ２２の容量の低下は、通信装置１内の内部温度に影響される。したがって、図７に示す制御回路１４において、ＡＣ一次側電源１１１のＯＦＦ、ＯＮ毎に、経過時間Ｔ１および経過時間Ｔ２の時間的な変化を検証するのみならず、温度センサ４６が測定した内部温度の時間的な変化も含めて検証することにより、ＡＣ一次側平滑用コンデンサ２１の容量の低下、および、ＤＣ二次側バックアップ用コンデンサ２２の容量の低下を、より正確に予測することができる。
【００６５】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６６】
１        通信装置
２        対向側通信装置
１１      フィルタ
１２      平滑回路
１３      ＤＣ／ＤＣ変換回路
１４      制御回路
２１      ＡＣ一次側平滑用コンデンサ
２２      ＤＣ二次側バックアップ用コンデンサ
３１      電源ＯＦＦ検出回路
３２      電圧検出回路
４１      ＤＣ／ＤＣ変換回路
４２      ＣＰＵ
４３      ＦＲＯＭ
４４      通信回路
４５      ＣＬＫ
４６      温度センサ
５１      半波整流回路
５２      ツェナーダイオード
５３      フォトカプラ
５５      ツェナーダイオード
５６      トランジスタ
５７      トランジスタ
１３１    第１のＤＣ電源
３１１    電源ＯＦＦ検出信号
３２１    電圧検出信号
４１１    第２のＤＣ電源
４２１    データ
４２２    データ
４２３    データ
５１１    電源ＯＦＦ情報送信タイミング
【図１】
2019071000.tif 000003
【図２】
2019071000.tif 000004
【図３】
2019071000.tif 000005
【図４】
2019071000.tif 000006
【図５】
2019071000.tif 000007
【図６】
2019071000.tif 000008
【図７】
2019071000.tif 000009